【事件の表示】
　平成　４年特許願第３５１０９６号「硬化性組成物」拒絶査定不服審判事件〔平成　６年　６月２１日出願公開、特開平　６−１７２６３１〕について、次のとおり審決する。
【結　論】
　本件審判の請求は、成り立たない。
【理　由】
I．手続の経緯
　本願は、平成４年１２月４日の出願であって、平成１３年６月１１日付けで拒絶理由が通知され、平成１３年８月２０日付けで意見書と共に手続補正書が提出されたが、特許法第２９条第２項の規定により特許を受けることができないとの理由により、平成１３年１０月２４日付けで拒絶査定がなされ、これに対して、平成１３年１１月２７日付けで審判請求がなされたものである。  
II．本願発明
　本願の請求項１に係る発明（以下、「本願発明」という。）は、平成１３年８月２０日付け手続補正書により補正された明細書の記載からみて、その特許請求の範囲の請求項１に記載された、以下のとおりのものである。
「【請求項１】（Ａ）重合主鎖が下記式〔化１〕で示される繰り返し単位を含有し、
【化１】
　−ＣＨ（−ＣＨ3）−ＣＨ２−Ｏ−　　
水酸基または加水分解性基の結合したケイ素原子を含むケイ素含有官能基を少なくとも１個有するオキシプロピレン重合体であって、Ｍｗ／Ｍｎが１．６以下で数平均分子量が６，０００以上であるオキシプロピレン重合体、
（Ｂ）シロキサン結合を形成することによって架橋しうるケイ素含有官能基を有し、分子鎖が実質的に、（１）炭素数１〜８のアルキル基を有するアクリル酸アルキルエステル単量体単位および（または）メタアクリル酸アルキルエステル単量体単位と、（２）炭素数１０以上のアルキル基を有するアクリル酸アルキルエステル単量体単位および（または）メタアクリル酸アルキルエステル単量体単位、とからなる共重合体、
（Ｃ）硬化促進剤からなる硬化性組成物。」
III．引用例に記載の事項
　これに対して、原査定の拒絶の理由において引用された、本願出願前に国内において頒布された刊行物である、特開昭６３−１１２６４２号公報（以下、「引用例１」という）には、以下の事項が記載されている。
ア．「（Ａ）シロキサン結合を形成することによって架橋しうる珪素含有官能基を有し、分子鎖が実質的に
（１）炭素数１〜８のアルキル基を有するアクリル酸アルキルエステル単量体単位および（または）メタクリル酸アルキルエステル単量体単位と
（２）炭素数１０以上のアルキル基を有するアクリル酸アルキルエステル単量体単位および（または）メタクリル酸アルキルエステル単量体単位
とからなる共重合体、
（Ｂ）シロキサン結合を形成することによって架橋しうる珪素含有官能基を有するオキシアルキレン重合体ならびに
（Ｃ）硬化促進剤
からなる硬化性組成物。」（特許請求の範囲第１項）
イ．「これに対して、反応性シリコン官能基を有するオキシアルキレン重合体の硬化物はすぐれた引張特性を有しているが、さらに特性の改善が望まれている。さらに、反応性シリコン官能基を有するオキシアルキレン重合体は、いずれも主鎖構造などに起因する、耐候性や種々の被着体に対する接着性が不十分であるといった性能上の弱点を有している。」（２頁左上欄１９行〜右上欄６行）
ウ．「本発明において使用される分子中に反応性シリコン官能基を有するオキシアルキレン重合体（以下、オキシアルキレン重合体（Ｂ）という）は、・・・などに提案されている。
　オキシアルキレン重合体（Ｂ）の分子鎖は、本質的に一般式：
　　−Ｒ６−Ｏ−
（式中、Ｒ６は２価の有機基であるが、・・・）で示される繰返し単位を有するものが好ましい。Ｒ６の具体例としては、・・・などがあげられる。前記オキシアルキレン重合体の分子鎖は１種だけの繰返し単位からなっていてもよいし、２種以上の繰返し単位よりなっていてもよいが、Ｒ６としては
　とくに　−ＣＨ（−ＣＨ3）−ＣＨ２−　が好ましい。
　オキシアルキレン重合体（Ｂ）中の反応性シリコン官能基とは、前記と同じである。」（７頁左下欄１２行〜右下欄２０行）
エ．「オキシアルキレン重合体（Ｂ）中の反応性シリコン官能基の個数は、充分な硬化性をうる点から平均で１個以上、さらには１．１個以上、とくには１．５個以上が好ましい。・・・。
　オキシアルキレン重合体（Ｂ）の数平均分子量は５００〜３００００のものが好ましく、３０００〜１５０００のものがさらに好ましい。」（８頁左上欄１〜９行）
オ．「このようにしてえられる組成物は、接着剤や粘着剤、塗料、塗膜防水材、密封材組成物、型取り用材料および注型ゴム材料、発泡材料などとして有用に使用することができる。
　たとえばシーリング材として適用するばあい、水分の無い状態にて上記硬化触媒、配合物を混練し、密封された状態にて保存すれば長期間安定で空気中の湿気にさらすことにより速やかに硬化、良好なゴム弾性体がえられる１液型弾性シーリング材がえられ、そのものは、良好な耐候性、透明性、引張り伸びを示す。」（１０頁左上欄１８行〜右上欄８行）
　そして、１３頁左上欄の第３表中には酸化防止剤の配合についても記載されている。
　また、同じく引用された、本願出願前に国内において頒布された刊行物である、特開平４−２８３２５９号公報（以下、「引用例２」という。）には、以下の事項が記載されている。
カ．「【請求項１】（Ａ）重合主鎖が
【化１】 式　−ＣＨ（−ＣＨ3）−ＣＨ２−Ｏ−　　
で示される繰り返し単位を含有し、水酸基または加水分解性基の結合したケイ素原子を含むケイ素原子含有基を少なくとも１個有するオキシプロピレン重合体であって、Ｍｗ／Ｍｎが１．６以下で数平均分子量が６，０００以上であるオキシプロピレン重合体、及び
（Ｂ）酸化防止剤を含有する硬化性組成物。」
キ．「【０００２】
【従来の技術と発明が解決しようとする課題】反応性ケイ素基（水酸基または加水分解性基の結合したケイ素原子を含むケイ素原子含有基であって、シロキサン結合を形成し得る基）を有するオキシプロピレン重合体は、液状の重合体となり得るもので湿分等により室温で硬化してゴム状硬化物を生じる。このため、この重合体は建築物の弾性シーラント等に用いられている。この重合体の使用に際しては、硬化物の耐候性や耐熱性などを改善するために酸化防止剤を添加した組成物として用いられることがある。
【０００３】本発明者らは、耐候性の優れた反応性ケイ素基を有するオキシプロピレン重合体を含有する硬化性組成物の検討を行なった結果、オキシプロピレン重合体として分子量分布の狭いものを用いると、さらに耐候性や耐熱性が改善されることを見出だし本発明に至った。」
ク．「【００２２】このオキシプロピレン重合体の数平均分子量（Ｍｎ）としては６，０００以上のものが有効に使用されうるが、好ましくは、６，０００〜３０，０００の数平均分子量を有するものがよい。さらに、このオキシプロピレン重合体においては、重量平均分子量と数平均分子量との比（Ｍｗ／Ｍｎ）が１．６以下であり、極めて分子量分布が狭い（単分散性が大きい）。Ｍｗ／Ｍｎの値は好ましくは１．５以下であり、さらに好ましくは１．４以下である。分子量分布は、各種の方法で測定可能であるが、通常ゲル浸透クロマトグラフィ（ＧＰＣ）法での測定が一般的である。このように数平均分子量が大きいにもかかわらず分子量分布が狭いので、本発明の組成物は、硬化前においては粘度が低く取扱いが容易であり、硬化後においては良好なゴム状弾性挙動を示す。」
ケ．「【００５０】本発明の硬化性組成物は弾性シーラントとして特に有用であり、建造物、船舶、自動車、道路などの密封剤として使用しうる。更に、単独あるいはプライマーの助けをかりてガラス、磁器、木材、金属、樹脂成形物などの如き広範囲の基質に密着しうるので、種々のタイプの密封組成物および接着組成物としても使用可能である。更に、食品包装材料、注型ゴム材料、型取り用材料、塗料としても有用である。
【００５１】
【発明の効果】本発明の組成物は、（Ａ）成分として分子量分布の広い重合体を用いた組成物に比較して、硬化物の耐候性や耐熱性が優れたものになる。
【００５２】なお、本発明の硬化性組成物において（Ａ）成分として使用される反応性ケイ素基含有オキシプロピレン重合体は、数平均分子量が大きいにもかかわらず分子量分布が狭い。従って、本発明の組成物は、硬化前においては、同一分子量で分子量分布の広い従来の反応性ケイ素基含有オキシプロピレン重合体を含有する組成物と比べて粘度が低く取扱いが容易である。
【００５３】このように硬化前の粘度が低いので、作業性が良いだけでなく、多量の充填剤を配合できて優れた室温硬化性組成物を得ることができる。
【００５４】さらに、耐酸性などの耐薬品性が予想外に大幅に改善され、耐水性も優れている。」
コ．「【００６４】合成例１、２および比較合成例１で得られたポリマーの粘度をＢ型粘度計（ＢＭタイプローターＮｏ．４、１２ｒｐｍ）を用いて、２３℃で測定した。また、各ポリマーの数平均分子量（Ｍｎ）と分子量分布（Ｍｗ／Ｍｎ）をＧＰＣにより分析した。ＧＰＣは、ポリスチレンゲル（東ソー株式会社製）を充填したカラムに留出溶媒としてテトラヒドロフランを用いて、オーブン温度４０℃で分析した。その結果を表１に示す。
【００６５】
【表１】
」
IV．対比・判断
　引用例１には、オキシアルキレン重合体について、繰り返し単位として−ＣＨ（−ＣＨ３）−ＣＨ２−Ｏ−が好ましいこと（摘示記載ウ）、オキシアルキレン重合体（Ｂ）の数平均分子量として５００〜３００００のものが好ましいこと（摘示記載エ）が記載され、実施例においても平均分子量８２００の反応性シリコン官能基を末端に有するオキシプロピレンが採用されている。
　そこで、本願発明と引用例１に記載された発明とを対比すると、両者は、
「（Ａ）重合主鎖が下記式〔化１〕で示される繰り返し単位を含有し、
【化１】
　−ＣＨ（−ＣＨ３）−ＣＨ２−Ｏ−　　
水酸基または加水分解性基の結合したケイ素原子を含むケイ素含有官能基を少なくとも１個有する数平均分子量が６，０００以上であるオキシプロピレン重合体、
（Ｂ）シロキサン結合を形成することによって架橋しうるケイ素含有官能基を有し、分子鎖が実質的に、（１）炭素数１〜８のアルキル基を有するアクリル酸アルキルエステル単量体単位および（または）メタアクリル酸アルキルエステル単量体単位と、（２）炭素数１０以上のアルキル基を有するアクリル酸アルキルエステル単量体単位および（または）メタアクリル酸アルキルエステル単量体単位、とからなる共重合体、
（Ｃ）硬化促進剤からなる硬化性組成物」の点で一致し、次の点で相違している。
　相違点（１）
　オキシプロピレン重合体について、本願発明が「Ｍｗ／Ｍｎが１．６以下」と規定しているのに対し、引用例１に記載された発明では、特にその点について明記していない点
　この相違点（１）について検討する。
　引用例１に記載された発明は、硬化性組成物に関するものであり、その用途についてもシーリング材として適用すること（摘示記載オ）が記載されている。そして、シーリング材として適用する場合、空気中の湿気にさらすことにより速やかに硬化、良好なゴム弾性体がえられる１液型弾性シーリング材がえられること（摘示記載オ）が記載されている。
　また、引用例２には、重合主鎖が式（−ＣＨ（−ＣＨ３）−ＣＨ２−Ｏ−）で示される繰り返し単位を含有し、水酸基または加水分解性基の結合したケイ素原子を含むケイ素原子含有基を少なくとも１個有するオキシプロピレン重合体であって、Ｍｗ／Ｍｎが１．６以下で数平均分子量が６，０００以上であるオキシプロピレン重合体および酸化防止剤を含有する硬化性組成物（摘示記載カ）が記載され、硬化性組成物が弾性シーラントとして特に有用であり、また、該組成物は、硬化前においては、同一分子量で分子量分布の広い従来の反応性ケイ素基含有オキシプロピレン重合体を含有する組成物と比べて粘度が低く取扱いが容易であること（摘示記載ケ）が記載されている。
　そうすると、硬化性組成物において、硬化前は、同一分子量で分子量分布の広い従来の反応性ケイ素基含有オキシプロピレン重合体を含有する組成物と比べて、粘度が低く取扱いが容易であることが記載されている引用例２の技術に接した当業者であれば、引用例１に記載された反応性ケイ素基含有オキシプロピレン重合体を含有する硬化性組成物の発明において、作業性（取扱い易さ）を考慮して、従来のものに比べて、粘度が低く取り扱いが容易である引用例２に記載されているオキシプロピレン重合体を採用してみようとすることは容易に想到し得ることといえる。
　そして、一般にシリコーン硬化性樹脂組成物をシリコーンシーラントとして用いる際には、シール材のタックフリー（硬化性）を考慮にいれる必要があることは当業界では周知の事項（「プラスチック材料講座９　けい素樹脂」日刊工業新聞社　昭和４５年４月２０日初版発行　第１３７頁−第１３９頁参照）であって、出願人も認めるように樹脂組成物の硬化性（タックフリータイム）を測定し、その硬化特性を把握することは通常に行われていることであるし、引用例１に記載された硬化性組成物においても、シーリング材として使用する場合には、速やかに硬化し、良好なゴム弾性がえられること（摘示記載オ）の改善点が記載されているのであるから、オキシプロピレン重合体の採用に当たっては、組成物の硬化前の取り扱い易さのみならず、使用時の硬化性の優劣についても当然検討すべき対象というべきものである。
　そうであれば、硬化性組成物として使用目的に合った硬化性能を有するオキシプロピレン重合体を選択することは当然のことというべきであるから、引用例２に記載されたオキシプロピレン重合体を引用例１に記載の硬化性組成物に適用するに当たり、硬化性能についても検討することは、当業者であれば格別困難なくなし得たものといえ、それにより得られる効果「硬化性に優れた（タックフリータイムが短い）」についても、硬化性組成物として当然に要求される効果であり、引用例２に記載されたオキシプロピレン重合体を採用することにより得られる付随的な効果に過ぎない。
V．むすび
　以上のとおりであるから、本願発明は、引用例１、２に記載された発明に基づいて当業者が容易に発明をすることができたものであり、特許法第２９条第２項の規定により、特許を受けることができない。
　よって、結論のとおり審決する。